(57)【要約】【課題】レーザ光の飛散を防止しつつ、全反射照明観察中に薬剤刺激等の操作を行う。【解決手段】全反射照明光学系による対物レンズへのレーザ光の入射を遮断可能なシャッタを備える顕微鏡本体のステージ上に標本を覆うように配置される開閉可能なカバー部材５０と、カバー部材５０の開閉を検出し、カバー部材５０の開状態を検出した場合に、シャッタにレーザ光を遮断させる駆動信号を出力する開閉センサとを備え、カバー部材５０が、閉状態にて、全反射照明光学系により集光されて標本を透過したレーザ光の光路の軌跡上から外れた位置に開口する開口部５３ａを有する保護装置５を提供する。【選択図】図２
2014115596.tif 000002
【特許請求の範囲】
【請求項１】
ステージ上の標本に対して該ステージを挟んで対向して配置される対物レンズの入射瞳位置の軸外においてレーザ光を集光させ、前記対物レンズを介して前記標本にエバネッセント光を入射させる全反射照明光学系と、該全反射照明光学系による前記対物レンズへのレーザ光の入射を遮断可能な遮断手段とを備える全反射照明顕微鏡に装着され、前記全反射照明光学系により集光された前記レーザ光が前記標本を透過して飛散するのを阻止する保護装置であって、
前記ステージ上に前記標本を覆うように配置される開閉可能なカバー部材と、
該カバー部材の開閉を検出し、該カバー部材の開状態を検出した場合に、前記遮断手段に前記レーザ光を遮断させる駆動信号を出力する開閉センサとを備え、
前記カバー部材が、閉状態にて、前記全反射照明光学系により集光されて前記標本を透過した前記レーザ光の光路の軌跡上から外れた位置に開口する開口部を有する保護装置。
【請求項２】
前記開口部が、前記カバー部材の閉状態で、前記全反射照明光学系により前記標本にエバネッセント光を入射させるためにレーザ光の光軸を傾けていく際のレーザ光の光路の軌跡の方向に対して交差する方向に向かって、観察光軸から下式を満たす距離以上離れた位置に配置されている請求項１に記載の保護装置。
レーザ光を照明可能な範囲／２
【請求項３】
前記カバー部材が、前記開口部を閉塞する開閉可能な閉塞部材を備える請求項１または請求項２に記載の保護装置。
【請求項４】
標本を載置するステージと、該ステージ上の前記標本に該ステージを介して対向して配置される対物レンズと、該対物レンズの入射瞳位置の軸外においてレーザ光を集光させ、前記標本にエバネッセント光を入射させる全反射照明光学系と、該全反射照明光学系による前記対物レンズへのレーザ光の入射を遮断可能な遮断手段とを有する顕微鏡本体と、
該顕微鏡本体に装着される請求項１から請求項３のいずれかに記載の保護装置とを備える顕微鏡システム。
【発明の詳細な説明】
【技術分野】
【０００１】
本発明は、保護装置および顕微鏡システムに関するものである。
【背景技術】
【０００２】
従来、レーザ光を発する光源と、ステージを覆いレーザ光が飛散するのを防止するカバーを有する保護装置とを備える全反射顕微鏡が知られている（例えば、特許文献１参照）。特許文献１に記載の全反射顕微鏡は、保護装置のカバーが開閉可能な蓋を備えており、標本を交換等するためにこの蓋を開くとインターロックスイッチに連動したシャッタ等が作動して、標本へのレーザ光の導入が遮断されるようになっている。
【先行技術文献】
【特許文献】
【０００３】
【特許文献１】特開２００６−１１０４５号公報
【発明の概要】
【発明が解決しようとする課題】
【０００４】
しかしながら、特許文献１に記載の全反射顕微鏡は、上記の保護装置のカバーの蓋を開くとレーザ光が遮断されるため、全反射照明観察中は保護装置のカバーの蓋を開いて標本にアクセスすることができない。そのため、特許文献１に記載の全反射顕微鏡では、保護装置のカバーによりステージが覆われた全反射照明観察中は、標本へのアクセスを要する薬剤刺激等の操作に対応することができないという不都合がある。
【０００５】
本発明は、レーザ光の飛散を防止しつつ、全反射照明観察中に薬剤刺激等の操作を行うことができる保護装置およびこれを備える顕微鏡システムを提供することを目的としている。
【課題を解決するための手段】
【０００６】
上記目的を達成するために、本発明は以下の手段を提供する。
本発明は、ステージ上の標本に対して該ステージを挟んで対向して配置される対物レンズの入射瞳位置の軸外においてレーザ光を集光させ、前記対物レンズを介して前記標本にエバネッセント光を入射させる全反射照明光学系と、該全反射照明光学系による前記対物レンズへのレーザ光の入射を遮断可能な遮断手段とを備える全反射照明顕微鏡に装着され、前記全反射照明光学系により集光された前記レーザ光が前記標本を透過して飛散するのを阻止する保護装置であって、前記ステージ上に前記標本を覆うように配置される開閉可能なカバー部材と、該カバー部材の開閉を検出し、該カバー部材の開状態を検出した場合に、前記遮断手段に前記レーザ光を遮断させる駆動信号を出力する開閉センサとを備え、前記カバー部材が、閉状態にて、前記全反射照明光学系により集光されて前記標本を透過した前記レーザ光の光路の軌跡上から外れた位置に開口する開口部を有する保護装置を提供する。
【０００７】
本発明によれば、全反射照明顕微鏡に装着することにより、全反射照明顕微鏡の全反射照明光学系によって集光されたレーザ光が標本を透過して飛散するのをカバー部材により阻止することができる。そして、開閉センサによりカバー部材の閉状態が検出されると、全反射顕微鏡の全反射照明光学系を介した対物レンズへのレーザ光の入射が許可される。したがって、反射照明光学系によって対物レンズの入射瞳位置の軸外においてレーザ光が集光されることにより、標本において全反射が発生してエバネッセント光が入射されることで、全反射照明観察を行うことができる。一方、開閉センサによりカバー部材の開状態が検出されると、全反射顕微鏡の全反射照明光学系を介した対物レンズへのレーザ光の入射が遮断手段により遮断される。したがって、全反射照明観察中にカバー部材を外してもレーザ光が外部に飛散するのを防ぐことができる。
【０００８】
この場合において、カバー部材が、閉状態で、全反射照明光学系により集光されて標本を透過したレーザ光の光路の軌跡上から外れた位置に開口する開口部を有することで、全反射照明観察中に、すなわち、カバー部材を閉じたままで、カバー部材の外側から開口部を介して標本にアクセスすることができる。
【０００９】
また、全反射照明観察準備段階において全反射照明状態になるまでは対物レンズから標本に導入されたレーザ光の大部分が標本を透過してしまうが、そのレーザ光の軌跡上にはカバー部材の開口部が配置されていないので、カバー部材の外側にレーザ光が射出されてしまうのを防止することができる。
したがって、レーザ光の飛散を防止しつつ、全反射照明観察中にピペット等を標本に近接させて薬剤刺激等の操作を行うことができる。
【００１０】
上記発明においては、前記開口部が、前記カバー部材の閉状態で、前記全反射照明光学系により前記標本にエバネッセント光を入射させるためにレーザ光の光軸を傾けていく際のレーザ光の光路の軌跡の方向に対して交差する方向に向かって、観察光軸から下式を満たす距離以上離れた位置に配置されていることとしてもよい。
レーザ光を照明可能な範囲／２
【００１１】
上記の「レーザ光を照明可能な範囲」、すなわち、レーザ光の光路の軌跡に交差する方向の長さは、例えば、ステージの移動によってレーザ光の照射領域を調節する場合は、「ステージの移動量＋照射するレーザ光の光束径」となる。ただし、標本にレーザ光を照射可能な範囲は対物レンズと標本との間に介在する中座やディッシュ底部等の部材の形状によって制限されるので、「ステージ移動量（照射領域の調節移動可能量）」はこの制限を加味した移動量である。
【００１２】
上記発明においては、前記カバー部材が、前記開口部を閉塞する開閉可能な閉塞部材を備える請こととしてもよい。
このように構成することで、閉塞部材によりカバー部材の開口部を閉塞することで、外部の光がカバー部材の内側に入り込むのを防ぐことができる。したがって、カバー部材の開口部を介して標本にアクセスするとき以外は閉塞部材によって開口部を閉塞することにより、カバー部材の内側を暗くして標本を観察し易くすることができる。
【００１３】
本発明は、標本を載置するステージと、該ステージ上の前記標本に該ステージを介して対向して配置される対物レンズと、該対物レンズの入射瞳位置の軸外においてレーザ光を集光させ、前記標本にエバネッセント光を入射させる全反射照明光学系と、該全反射照明光学系による前記対物レンズへのレーザ光の入射を遮断可能な遮断手段とを有する顕微鏡本体と、該顕微鏡本体に装着される上記いずれかの保護装置とを備える顕微鏡システムを提供する。
本発明によれば、保護装置によりレーザ光の飛散を防止しつつ、全反射照明観察中に標本を薬剤刺激等することができる。
【発明の効果】
【００１４】
本発明によれば、レーザ光の飛散を防止しつつ、全反射照明観察中に薬剤刺激等の操作を行うことができるという効果を奏する。
【図面の簡単な説明】
【００１５】
【図１】本発明の一実施形態に係る保護装置および顕微鏡システムを示す概略構成図である。
【図２】図１のカバー部材をカバー本体と蓋部とに分けて示した斜視図である。
【図３】図１の顕微鏡システムを、保護装置のカバー部材を開にした状態で保護装置側から対物レンズの光軸方向に見た平面図である。
【図４】図１の顕微鏡システムを、保護装置のカバー部材を閉にした状態で保護装置側から対物レンズの光軸方向に見た平面図である。
【発明を実施するための形態】
【００１６】
本発明の一実施形態に係る保護装置および顕微鏡システムについて図面を参照して以下に説明する。
本実施形態に係る顕微鏡システム１は、標本Ｓを観察する顕微鏡本体（全反射照明顕微鏡）３と、顕微鏡本体３に装着され、レーザ光の飛散を阻止する保護装置５とを備えている。
【００１７】
顕微鏡本体３は、標本Ｓを収容したディッシュ１１を載置するステージ２１と、ステージ２１の下方に配置される対物レンズ２３と、対物レンズ２３を保持するレボルバ２５と、対物レンズ２３を介して標本Ｓを全反射照明する全反射照明光学系３０と、全反射照明光学系３０による対物レンズ２３へのレーザ光の入射を遮断可能なシャッタ（遮断手段）２７と、対物レンズ２３を介して標本Ｓを観察する観察光学系４０とを備えている。
【００１８】
ディッシュ１１は、例えば、透明なプラスチック製であり、底面をくりぬいてできた開口を塞いでいるカバーガラス１３を有している。標本Ｓは、カバーガラス１３の上面に培養されている。ディッシュ１１の内部は培養液１５で浸されている。対物レンズ２３の先端とカバーガラス１３の間にはオイル１７が浸されている。
【００１９】
ステージ２１は、ステージ固定部２１Ａと、ボールガイド機構（図示略）などを介してステージ固定部２１Ａに連結された下ステージ部２１Ｂと、ボールガイド機構（図示略）などを介して下ステージ部２１Ｂに連結され、ディッシュ１１支持する上ステージ部２１Ｃとを備え、これらステージ固定部２１Ａ、下ステージ部２１Ｂおよび上ステージ部２１Ｃを板厚方向に積層状態に配置して構成されている。
【００２０】
上ステージ部２１Ｃは中央部が厚さ方向に開口しており、その開口に中座２１Ｄが設けられている。中座２１Ｄは、対物レンズ２３の光軸Ｔと垂直な平面内で移動可能に配置されている。中座２１Ｄの上にディッシュ１１が載置されるようになっている。
【００２１】
上ステージ部２１Ｃは、対物レンズ２３の光軸Ｔと垂直な平面内で、ユーザＵに対して奥行き方向（図１の紙面の横方向）に移動可能に設けられている。
下ステージ部２１Ｂは、対物レンズ２３の光軸Ｔに垂直な平面内で、ユーザＵに対して左右方向（図１の紙面の垂直方向）に移動可能に設けられている。
【００２２】
対物レンズ２３は、レボルバ２５により保持されて、ステージ２１上の標本Ｓに対してステージ２１を挟んで対向して配置されるようになっている。この対物レンズ２３は、標本Ｓにレーザ光を照射する一方、標本Ｓからの蛍光などの観察光を集光することができるようになっている。
レボルバ２５は、焦準機構（図示略）により対物レンズ２３の光軸Ｔ方向に移動可能に設けられており、対物レンズ２３をその光軸Ｔに沿って移動させることができるようになっている。
【００２３】
全反射照明光学系３０は、レーザ光を発生するレーザヘッド３１と、レーザヘッド３１から発せられたレーザ光を対物レンズ２３に入射させる投光管３３と、レーザヘッド３１と投光管３３とを接続し、レーザヘッド３１から発せられたレーザ光を投光管３３に導光する光ファイバ３５とを備えている。
【００２４】
投光管３３は、光ファイバ３５により導光されてきレーザ光を対物レンズ２３の後側焦点位置に集光させる集光レンズ３７と、集光レンズ３７を透過したレーザ光を対物レンズ２３の外周部に向けて反射する反射ミラー３９とを備えている。この投光管３３は光軸Ｍが対物レンズ２３の光軸Ｔに直交するように配置されている。
反射ミラー３９は、直動機構（図示略）とバネ（図示略）などにより、対物レンズ２３の外周部辺りにおいて投光管３３の光軸Ｍ方向に移動可能に設けられている。
【００２５】
この全反射照明光学系３０は、反射ミラー３９の位置を投光管３３の光軸Ｍ方向に調節することにより、集光レンズ３７からのレーザ光を対物レンズ２３の入射瞳位置の軸外に集光させることができるようになっている。そして、対物レンズ２３の入射瞳位置の軸外にレーザ光を集光させることで、そのレーザ光を対物レンズ２３から標本Ｓに対して所定の角度をなして射出させ、標本Ｓとカバーガラス１３との境界位置に照射して、その位置において全反射させることができるようになっている。
【００２６】
シャッタ２７は、レーザヘッド３１の射出端に配置されている。また、シャッタ２７は、図示しない駆動機構を有しており、駆動機構によりレーザ光の光路に挿脱可能に設けられている。そして、シャッタ２７は、レーザ光の光路から外されることにより光路を開放し、レーザ光の光路に挿入されることによりレーザ光を遮断することができるようになっている。
【００２７】
観察光学系４０は、対物レンズ２３により集光された蛍光から不要な光をカットする吸収フィルタ４１と、吸収フィルタ４１を通過した蛍光を集光して結像させる結像レンズ４３と、結像レンズ４３により集光された蛍光を撮影し、標本Ｓの画像を取得するＣＣＤカメラ４５とを備えている。
【００２８】
保護装置５は、ステージ２１上に標本Ｓを覆うように配置される開閉可能な略箱型のカバー部材５０と、カバー部材５０の開閉を検出する２つの開閉センサ６０Ａ，６０Ｂとを備えている。
カバー部材５０は、図２に示すように、側壁を形成するカバー本体５１と、カバー本体５１に装着されてカバー本体５１の開口の一方を塞ぐ蓋部５３とを備えている。
【００２９】
カバー本体５１と蓋部５３は、それぞれアルミなどの金属材料により形成されている。
カバー本体５１は、上ステージ部２１Ｃ上に配置され、ディッシュ１１の周囲を囲みその上方を開放するようになっている。また、カバー本体５１は、上ステージ部２１Ｃ上に固定するための４つのネジ止め部５２を有しており、ネジ止めにより上ステージ部２１Ｃ上に固定することができるようになっている。
【００３０】
蓋部５３は、カバー本体５１の開口に対して開閉可能に設けられており、閉じる（装着する）ことでカバー本体５１の開口を塞ぎ、開ける（外す）ことでカバー本体５１の開口を開放することができるようになっている。この蓋部５３は、開閉時にユーザが把持する２つの把持部５５と、厚さ方向に貫通する貫通孔により形成される開口部５３ａと、開口部５３ａを閉塞する開閉可能な閉塞部材５７とを備えている。
【００３１】
蓋部５３の開口部５３ａは、例えば、図３および図４に示すように、蓋部５３がカバー本体５１に装着された状態（閉状態）において、全反射照明光学系３０により集光されて標本Ｓを透過したレーザ光の光路の軌跡上から外れた位置に配置されている。図３において、矢印Ｋは、反射ミラー３９の位置調整に応じたレーザ光の光路の軌跡を示している。
【００３２】
具体的には、蓋部５３において、カバー本体５１に装着された状態で、全反射照明光学系３０により標本Ｓにエバネッセント光を入射させるためにレーザ光の光軸を傾けていく際のその光路の軌跡の方向に対して交差する方向に向かって観察光軸から下式を満たす距離以上離れた位置に開口部５３ａは配置されている。
レーザ光を照明可能な範囲／２
【００３３】
ここで、上記の「レーザ光を照明可能な範囲」、すなわち、レーザ光の光路の軌跡に直交する方向の長さ（図３，４において、レーザ光が射出する可能性がある範囲として破線で囲った領域の幅方向の寸法）は、例えば、ステージ２１の移動によってレーザ光の照射領域を調節する場合は、「ステージの移動量＋照射するレーザ光の光束径」となる。ただし、標本Ｓにレーザ光を照射可能な範囲は、対物レンズ２３と標本Ｓとの間に介在する中座２１Ｄやディッシュ底部(カバーガラス１３）等の部材の形状によって制限されるので、「ステージ移動量（照射領域の調節移動可能量）」はこの制限を加味した移動量である。
【００３４】
本実施形態においては、開口部５３ａは、ユーザＵから見て、上ステージ部２１Ｃの中央部に設けられる中座２１Ｄの中心から右手側にずれた位置に配置されている。なお、蓋部５３は、ユーザＵから見て、開口部５３ａが中座２１Ｄの中心から左手側にずれた位置に配置されるように向きを変えてカバー本体５１に装着することもできるようになっている。
【００３５】
閉塞部材５７は、カバー部材５０の外側から蓋部５３の開口部５３ａを閉塞することができるようになっている。また、閉塞部材５７は、開口部５３ａを閉塞した状態で、ビス５９により蓋部５３に固定することができるようになっている。
【００３６】
開閉センサ６０Ａ，６０Ｂは、駆動信号を出力するインターロックスイッチ（以下、単に「スイッチ」という。）６１Ａ，６１Ｂと、スイッチ６１Ａ，６１ＢのＯＮ／ＯＦＦを切り替えるレバー６３Ａ，６３Ｂと、レバー６３Ａ，６３Ｂを押し込むための突起状のインターロックピン（以下、単に「ピン」という。）６５Ａ，６５Ｂとを備えている。
【００３７】
スイッチ６１Ａ，６１Ｂは、カバー本体５１の互いに対向する壁部にそれぞれ固定されており、ケーブル６７によりシャッタ２７に接続されるようになっている。これらのスイッチ６１Ａ，６１Ｂは、レバー６３Ａ，６３ＢによってＯＮされることによりカバー部材５０の閉状態を検出してシャッタ２７にＯＮ信号を入力し、ＯＦＦされることによりカバー部材５０の開状態を検出してシャッタ２７へのＯＮ信号の入力を停止するようになっている。
【００３８】
２つのスイッチ６１Ａ，６１Ｂにより、シャッタ２７に同時期にＯＮ信号が入力されるとレーザ光の光路からシャッタ２７が外され、いずれか一方のスイッチ６１Ａ，６１Ｂでもシャッタ２７へのＯＮ信号の入力が停止するとレーザ光の光路にシャッタ２７が挿入されるようになっている。
【００３９】
レバー６３Ａ，６３Ｂは、カバー本体５１の互いに対向する壁部の上端面にそれぞれ配置されている。これらのレバー６３Ａ，６３Ｂは、ピン６５Ａ，６５Ｂにより押し込まれるとスイッチ６１Ａ，６１ＢをＯＮし、ピン６５Ａ，６５Ｂによる押し込みが解除されるとスイッチ６１Ａ，６１ＢをＯＦＦするようになっている。
【００４０】
ピン６５Ａ，６５Ｂは、それぞれ蓋部５３の裏面に設けられ、蓋部５３をカバー本体５１に装着したときに各レバー６３Ａ，６３Ｂに対向する位置に配置されている。これらのピン６５Ａ，６５Ｂは、蓋部５３をカバー部材５０に装着したときに、それぞれレバー６３Ａ，６３Ｂに接触してレバー６３Ａ，６３Ｂを押し込むことができるようになっている。
【００４１】
このように構成された本実施形態に係る保護装置５およびレーザ顕微鏡システム１の作用について説明する。
本実施形態に係るレーザ顕微鏡システム１により標本Ｓを全反射照明観察するには、まず、上ステージ部２１Ｃにカバー本体５１のネジ止め部５２をネジ止めして固定する。
【００４２】
次いで、標本Ｓを収容したディッシュ１１を上ステージ部２１Ｃ上に載置し、蓋部５３を閉めてカバー本体５１の開口を閉塞する。顕微鏡本体３にカバー部材５０を装着することで、顕微鏡本体３の全反射照明光学系３０によって集光されるレーザ光が標本Ｓを透過しても、そのレーザ光が外部に飛散するのをカバー部材５０により阻止することができる。
【００４３】
カバー本体５１に蓋部５３が装着されることにより、ピン６５Ａ，６５Ｂがそれぞれレバー６３Ａ，６３Ｂを押し込み、スイッチ６１Ａ，６１ＢがＯＮされる。そして、２つのスイッチ６１Ａ，６１Ｂにより、ケーブル６７を介してＯＮ信号がシャッタ２７に同時期に入力されると、レーザ光の光路からシャッタ２７が外される。これにより、顕微鏡本体３の全反射照明光学系３０を介した対物レンズ２３へのレーザ光の入射が許可される。
【００４４】
この状態でレーザヘッド３１からレーザ光を発生させると、レーザ光はシャッタ２７を通過して光ファイバ３５により投光管３３に導光される。投光管３３に導光されたレーザ光は、集光レンズ３７により集光されて反射ミラー３９により対物レンズ２３の外周部に向けて反射される。
【００４５】
反射ミラー３９の位置を投光管３３の光軸Ｍ方向に調節し、集光レンズ３７からのレーザ光を対物レンズ２３の入射瞳位置の軸外において集光させる。すると、対物レンズ２３の先端から標本Ｓに向けて光軸Ｔに対して所定の角度をなしてレーザ光が射出され、標本Ｓとカバーガラス１３との境界面においてレーザ光が全反射させられる。これにより、その境界面の標本Ｓ側にエバネッセント光が染み出し、標本Ｓ内にエバネッセント光が入射される。
【００４６】
エバネッセント光が入射されることにより標本Ｓにおいて蛍光が発生すると、その蛍光は、対物レンズ２３により集光され、吸収フィルタ４１により不要な光がカットされた後、結像レンズ４３によりＣＣＤカメラ４５の受光面に結像される。そして、ＣＣＤカメラ４５によりその蛍光が撮影されて標本Ｓの２次元画像が取得される。これにより、ユーザは、２次元画像上で標本Ｓを観察することができる。
【００４７】
本実施形態において、保護装置５は、図３に示すように、カバー部材５０の蓋部５３を開くと、ピン６５Ａ，６５Ｂがレバー６３Ａ，６３Ｂから離れることによりスイッチ６１Ａ，６１ＢがＯＦＦされる。スイッチ６１Ａ，６１ＢがＯＦＦされると、シャッタ２７へのＯＮ信号の入力が停止し、レーザ光の光路にシャッタ２７が挿入される。
【００４８】
これにより、顕微鏡本体３の全反射照明光学系３０を介した対物レンズ２３へのレーザ光の入射がシャッタ２７によって遮断される。したがって、全反射照明観察中に蓋部５３を外しても、標本Ｓを透過してしまったレーザ光が外部に飛散するのを防ぐことができる。
【００４９】
この場合において、図４に示すように、カバー部材５０が蓋部５３に開口部５３ａを有することで、全反射照明観察中に、すなわち、蓋部５３を閉じたままで、カバー部材５０の外側から開口部５３ａを介して標本Ｓにアクセスすることができる。したがって、全反射照明観察中において、蓋部５３の開口部５３ａから閉塞部材５７を外せば、その開口部５３ａからカバー部材５０内にピペット等を挿入して標本Ｓに薬液刺激を行うことができる。
【００５０】
また、反射ミラー３９の位置を投光管３３の光軸Ｍ方向に移動させて標本Ｓへのレーザ光の入射角度を調節する全反射照明観察の準備段階において、全反射照明状態になるまでは対物レンズ２３から標本Ｓとカバーガラス１３との境界面に照射したレーザ光の大部分が標本Ｓを透過してしまうが、そのレーザ光の軌跡上には蓋部５３の開口部５３ａが配置されていないので、開口部５３ａからカバー部材５０の外側にレーザ光が射出されてしまうのを防止することができる。
【００５１】
さらに、閉塞部材５７によりカバー部材５０の開口部５３ａを閉塞しておけば、外部の光がカバー部材５０の内側に入り込むのを防ぐことができる。したがって、カバー部材５０の開口部５３ａを介して標本Ｓにアクセスするとき以外は閉塞部材５７によって開口部５３ａを閉塞することにより、カバー部材５０の内側を暗くして標本Ｓを観察し易くすることができる。
【００５２】
以上説明したように、本実施形態に係る保護装置５および顕微鏡システム１によれば、
全反射照明観察中において、カバー部材５０によりレーザ光の飛散を防止しつつ、蓋部５３を閉じたままでカバー部材５０の外側から開口部５３ａを介して標本Ｓにピペット等を近接させて薬剤刺激等の操作を行うことができる。
【００５３】
なお、本実施形態においては、カバー部材として、カバー本体５１と蓋部５３とにより構成されるカバー部材５０を例示して説明したが、これに代えて、カバー部材としてカバー本体と蓋部とが一体化した構成のものを採用することとしてもよい。
【００５４】
この場合、カバー部材全体がステージ２１上に開閉可能に設けられることとし、開閉センサ６０Ａ，６０Ｂによりカバー部材全体の開閉を検出することとすればよい。また、この場合のカバー部材は、蓋部５３における開口部５３ａに相当する位置、すなわち、ステージ２１に装着された状態で、全反射照明光学系３０により集光されて標本Ｓを透過したレーザ光の光路の軌跡上から外れた位置に開口する開口部を有することとすればよい。
【００５５】
また、本実施形態においては、遮断手段として、レーザヘッド３１の射出端に配置されるシャッタ２７を例示して説明したが、遮断手段はレーザ光の光路に挿脱される機械式のものに限定されるものではなく、例えば、レーザヘッド３１自体の電源をＯＦＦすることによりレーザ光を遮断するものであってもよい。また、音響光学素子を採用してもよいし、レーザヘッド３１自体における調光や干渉計等による光学的な消光手段を採用してもよい。
【符号の説明】
【００５６】
１    顕微鏡システム
３    顕微鏡本体（全反射照明顕微鏡）
５    保護装置
２１    ステージ
２３    対物レンズ
２７    シャッタ（遮断手段）
３０    全反射照明光学系
５０    カバー部材
５３ａ    開口部
５７    閉塞部材
６０Ａ，６０Ｂ    開閉センサ
Ｓ    標本
【図１】
2014115596.tif 000003
【図２】
2014115596.tif 000004
【図３】
2014115596.tif 000005
【図４】
2014115596.tif 000006